(57)【要約】【課題】押圧操作部を透過する光の強さを安定させることができるスイッチおよびこのスイッチを備えた照明ユニットを提供すること。【解決手段】頭部８０ｄを押圧操作可能にするスイッチ操作部１３を有するスイッチにおいて、フレキシブルプリント配線板７０に載置され、かつスイッチ操作部１３と頭部８０ｄとに挟まれる照明ＬＥＤ８０ｅを有し、スイッチ操作部１３は、照明ＬＥＤ８０ｅによって発せられた光をスイッチ操作部１３の操作面Ｓ側に透過する表示部１３ａを有する。【選択図】図８
2012015014.tif 000002
【特許請求の範囲】
【請求項１】
押圧部を押圧操作可能にする押圧操作部を有するスイッチにおいて、
フレキシブルプリント配線板に載置され、かつ前記押圧操作部と前記押圧部とに挟まれるＬＥＤを有し、
前記押圧操作部は、前記ＬＥＤによって発せられた光を該押圧操作部の操作面側に透過する透過部を有することを特徴とするスイッチ。
【請求項２】
前記押圧操作部あるいは前記押圧部は、前記ＬＥＤを前記押圧操作部と前記押圧部とで挟み込んで、前記押圧操作部と前記押圧部とを連結させる連結部を有することを特徴とする請求項１に記載のスイッチ。
【請求項３】
前記ＬＥＤは、前記押圧操作部の直下に設けられ、かつ押圧操作部に接するように前記押圧操作部と前記押圧部とに挟まれることを特徴とする請求項１または２に記載のスイッチ。
【請求項４】
請求項１に記載のスイッチを備え、該スイッチの押圧操作によって照明部の点灯および消灯を切り替える照明ユニットであって、
前記フレキシブル配線板は、前記スイッチと前記照明部とに接続する第１の接続部と、
前記フレキシブル配線板に設けられたスリットによって前記第１の接続部と分岐された第２の接続部と、
を有し、
前記ＬＥＤは、前記第２の接続部に載置され、かつ前記押圧操作部と前記押圧部とに挟まれることを特徴とする照明ユニット。
【発明の詳細な説明】
【技術分野】
【０００１】
本発明は、スイッチおよび照明ユニットに関する。
【背景技術】
【０００２】
従来、スイッチあるいはスイッチによって照明を点灯消灯させる照明ユニットには、そのスイッチの押圧操作部に高級感を出す場合がある。そこで、ＬＥＤ（Ｌｉｇｈｔ  Ｅｍｉｔｔｉｎｇ  Ｄｉｏｄｅ）等の発光部を設け、この発光部から発せられた光を押圧操作部に透過させるようにしたスイッチが提案されている（特許文献１参照）。このスイッチは、基板上に固定配置されたスイッチの本体部に対して押しボタンユニットを並べて配置するとともに、押しボタンの下方位置の前記基板上に、押しボタンを照明するためのＬＥＤを固定配置させ、押圧による押しボタンユニットの移動の際に、スイッチの本体部をガイドとして利用するものである。
【先行技術文献】
【特許文献】
【０００３】
【特許文献１】特開２００４−１６５１４３号公報
【発明の概要】
【発明が解決しようとする課題】
【０００４】
しかしながら、特許文献１のスイッチによると、押しボタンの押圧操作によって押しボタンの位置が変化するため、基板上に固定配置されたＬＥＤと押しボタンとの距離が変化してしまう。このため、押しボタンの押圧操作の前後で押しボタンを透過する光の強さが変化してしまうとう問題があった。
【０００５】
本発明は、上記に鑑みてなされたものであって、押圧操作部を透過する光の強さを安定させることができるスイッチおよびこのスイッチを備えた照明ユニットを提供することを目的とする。
【課題を解決するための手段】
【０００６】
上述した課題を解決し、目的を達成するために、本発明の請求項１にかかるスイッチは、押圧部を押圧操作可能にする押圧操作部を有するスイッチにおいて、フレキシブルプリント配線板に載置され、かつ前記押圧操作部と前記押圧部とに挟まれるＬＥＤを有し、前記押圧操作部は、前記ＬＥＤによって発せられた光を該押圧操作部の操作面側に透過する透過部を有することを特徴とする。
【０００７】
また、本発明の請求項２にかかるスイッチは、上記の発明において、前記押圧操作部あるいは前記押圧部は、前記ＬＥＤを前記押圧操作部と前記押圧部とで挟み込んで、前記押圧操作部と前記押圧部とを連結させる連結部を有することを特徴とする。
【０００８】
また、本発明の請求項３にかかるスイッチは、上記の発明において、前記ＬＥＤは、前記押圧操作部の直下に設けられ、かつ押圧操作部に接するように前記押圧操作部と前記押圧部とに挟まれることを特徴とする。
【０００９】
また、本発明の請求項４にかかる照明ユニットは、請求項１に記載のスイッチを備え、該スイッチの押圧操作によって照明部の点灯および消灯を切り替える照明ユニットであって、前記フレキシブル配線板は、前記スイッチと前記照明部とに接続する第１の接続部と、前記フレキシブル配線板に設けられたスリットによって前記第１の接続部と分岐された第２の接続部と、を有し、前記ＬＥＤは、前記第２の接続部に載置され、かつ前記押圧操作部と前記押圧部とに挟まれることを特徴とする。
【発明の効果】
【００１０】
本発明の請求項１にかかるスイッチは、押圧操作部と押圧部とに挟まれたＬＥＤによって発せられた光が、押圧操作部の操作面側に透過するので、押圧操作部が、押圧操作されたとしても、押圧操作の前後で押圧操作部とＬＥＤとの距離が変わらない。従って、押圧操作部の押圧操作に関わらず、押圧操作部を透過する光の強さを安定させることができる。
【００１１】
本発明の請求項２にかかるスイッチは、連結部が、ＬＥＤを押圧操作部と押圧部とで挟み込んで押圧操作部と押圧部とを連結しているので、ＬＥＤを押圧操作部と押圧部とで確実に挟むことができる。
【００１２】
本発明の請求項３にかかるスイッチは、ＬＥＤが押圧操作部の直下に設けられ、かつ押圧操作部に接するように押圧操作部と押圧部とに挟まれているので、少ない光量で透過部を発光させることができる。しかも、光漏れを少なく抑えることもできる。
【００１３】
本発明の請求項４にかかる照明ユニットは、第２の接続部がスリットを設けることによって第１の接続部と分岐されているので、第１の接続部と同一のフレキシブル配線板上にＬＥＤを配置することができる。このため、部品点数を少なく抑えることができる。
【図面の簡単な説明】
【００１４】
【図１】図１は、本発明の実施の形態であるスイッチおよび照明ユニットを適用した照明装置を示したものである。
【図２】図２は、照明装置の分解斜視図である。
【図３】図３は、スイッチ操作部の拡大斜視図である。
【図４】図４は、照明ユニットを示す斜視図である。
【図５】図５は、照明ユニットの分解斜視図である。
【図６】図６は、照明ユニットの照明ＬＥＤ配置前の状態を説明するための図である。
【図７】図７は、照明装置の上面図である。
【図８】図８は、図７に示した照明装置のＡ−Ａ断面図の一部を示した断面図である。
【発明を実施するための形態】
【００１５】
以下、図面を参照して、本発明にかかるスイッチおよび照明ユニットの好適な実施の形態を詳細に説明する。なお、この実施の形態によってこの発明が限定されるものではない。
【００１６】
実施の形態
図１は、本発明の実施の形態であるスイッチおよび照明ユニットを適用した照明装置を示したものである。図２は、図１に示した照明装置の分解斜視図である。照明装置１は、例えば、車内の天井に配置され、車内を照明するものである。照明装置１は、図２に示すように意匠部１０と、ハウジング２０と、照明機能部３０とを有する。照明装置１は、押圧操作部としてのスイッチ操作部１３を押圧操作することによって、照明の点灯あるいは消灯を行うものである。
【００１７】
意匠部１０は、ベゼル１１と、レンズ体１２と、スイッチ操作部１３とを有する。ベゼル１１は、外形が長方形状をなし、中央にはレンズ用凹部１１ａが形成され、左右外側位置には操作収容孔１１ｂがそれぞれ形成されている。レンズ用凹部１１ａには、３つの照明用孔１１ｃが開口されている。レンズ体１２は、レンズ用凹部１１ａの室内側に取り付けられる。
【００１８】
スイッチ操作部１３は、後述するスイッチ機構８０と連結され、スイッチ機構８０の押圧部を押圧操作するための操作部である。スイッチ操作部１３は、押圧操作可能に操作収容孔１１ｂに収容されている。スイッチ操作部１３は、例えば、光を透過可能な光拡散材からなり、図３に示すように、光を透過する透過部としての表示部１３ａと、光を透過しない塗装部１３ｂとを有する。スイッチ操作部１３は、光を透過しない塗料を表面に施してある。表示部１３ａは、後述する照明ＬＥＤ８０ｅによって発せられた光をスイッチ操作部１３の操作面Ｓ側に透過する透過部である。表示部１３ａは、操作面Ｓの中央位置に配置されている。表示部１３ａは、例えばレーザ照射によって表面の塗料をはがすことによって形成される。
【００１９】
ハウジング２０は、ベゼル１１の左右外側の操作収容孔１１ｂに対応する位置に方形状のスイッチ突出孔２０ａが開口されている。ハウジング２０は、ベゼル１１の３つの照明用孔１１ｃに対応する位置に照明用開口部２０ｂを有する。ハウジング２０は、図示しない係止部によってベゼル１１に取り付けられる。
【００２０】
照明機能部３０は、図２に示すように、電球等により実現される第１照明部４０と、２つの第２照明部５０と、２つのスイッチ機能部６０とを有する。第１照明部４０および第２照明部５０は、スイッチ機能部６０に電気的に接続している。第２照明部５０とスイッチ機能部６０とは、フレキシブルプリント配線板７０（以下、ＦＰＣという。）を介して電気的に接続されている。第１照明部４０、第２照明部５０のそれぞれは、照明用孔１１ｃに対応する位置に配置され、各照明部からの照明光はレンズ体１２を通って室内に照射される。
【００２１】
ここで、図４〜図６を用いて照明ユニット１００について説明する。図４は、照明ユニットを示す斜視図である。図５は、照明ユニットの分解斜視図である。図６は、照明ユニットの照明ＬＥＤ配置前の状態を説明するための図である。
【００２２】
照明ユニット１００は、図４に示すように、ＦＰＣ７０と、第２の照明部５０と、スイッチ機能部６０とを有する。
【００２３】
ＦＰＣ７０は、図６に示すように、スイッチ実装部７０ａと、照明実装部７０ｂと、第１の接続部としての第１帯状部７０ｃと、第２の接続部としての第２帯状部７０ｄと、ＬＥＤ実装部７０ｆとを有する。ＦＰＣ７０は、第１帯状部７０ｃの一端にスイッチ実装部７０ａが連成され、他端に照明実装部７０ｂが連成されている。第２帯状部７０ｄは、ＦＰＣ７０に設けられたスリット７０ｅによって第１帯状部７０ｃと分岐されている。第２帯状部７０ｄは、スイッチ実装部７０ａの近傍から延在した帯状部分の万端にＬＥＤ実装部７０ｆが連成されている。
【００２４】
第２の照明部５０は、図５に示すように、照明実装部７０ｂに実装されるＬＥＤ５０ａと、ＬＥＤ５０ａを覆う外形半球状のレンズ５０ｂと、アルミプレート等により実現され、照明実装部７０ｂが載置される放熱板５０ｃと、レンズ５０ｂを突出させるように放熱板５０ｃに嵌合するレンズホルダ５０ｄとを有する。
【００２５】
スイッチ機能部６０は、スイッチ実装部７０ａに実装されるスイッチ機構８０と、スイッチ実装部７０ａを収容するスイッチハウジング６０ａと、スイッチカバー６０ｂとを有する。
【００２６】
スイッチ機構８０は、スイッチ本体部８０ａと、案内部８０ｂと、胴部８０ｃと、頭部８０ｄとを有する。スイッチ本体部８０ａは、内部に端子等を有している。スイッチ本体部８０ａは、電源との接続機能をなしている。案内部８０ｂは、スイッチ本体部８０ａの上部に突出し、胴部８０ｃを上下移動可能に案内する。頭部８０ｄは、断面方形状をなし、胴部８０ｃの上部に設けられる。頭部８０ｄは、押圧部として、スイッチ操作部１３による押圧操作によって押圧される部分である。
【００２７】
また、スイッチ機構８０は、ＬＥＤによって実現される照明ＬＥＤ８０ｅを有する。照明ＬＥＤ８０ｅは、断面方形状をなし、ＬＥＤ実装部７０ｆに実装された状態で、頭部８０ｄの上面に設けられる。ここで、第２帯状部７０ｄは、図５に示すように、上方へ折り曲げられて頭部８０ｄの上面まで延びた状態となる。なお、第２帯状部７０ｄは、頭部８０ｄの上下移動に対応できるようにゆとりをもたせた長さに設定される。スイッチ機構８０は、スイッチハウジング６０ａ底面に設けられたバスバー６０ｃを介して車体側の電源に接続される。照明ＬＥＤ８０ｅは、第２帯状部７０ｄを介して電気的に接続されている。
【００２８】
スイッチカバー６０ｂは、スイッチ機構８０を突出させるようにスイッチハウジング６０ａに嵌合するものである。スイッチカバー６０ｂは、スイッチ機構８０を突出させるためのスイッチ用開口部６０ｄが形成されている。スイッチ用開口部６０ｄは、ＦＰＣ用開口部６０ｅを有する。ＦＰＣ用開口部６０ｅは、第２帯状部７０ｄを頭部８０ｄに延在させるためにスイッチ用開口部６０ｄの開口を広げた部分である。
【００２９】
次に、意匠部１０と、ハウジング２０と、照明機能部３０とが取り付けられた状態について図７および図８を用いて説明する。図７は、照明装置１の上面図である。また、図８は、図７に示した照明装置１のＡ−Ａ断面図の一部を示した図である。
【００３０】
スイッチ操作部１３は、図８に示すように、連結部１３ｅを有する。連結部１３ｅは、照明ＬＥＤ８０ｅの上面と接する平らな面を形成された当接部１３ｃ、および断面鉤状をなして頭部８０ｄの下部に掛かる鉤部１３ｄを有する。連結部１３ｅは、スイッチ操作部１３の当接部１３ｃと頭部８０ｄの上面とで照明ＬＥＤ８０ｅを挟み込んで、スイッチ操作部１３と頭部８０ｄとを連結させるものである。照明ＬＥＤ８０ｅは、スイッチ操作部１３の直下に設けられ、かつスイッチ操作部１３の当接部１３ｃに接するようにスイッチ操作部１３と頭部８０ｄとに挟まれている。
【００３１】
ここで、スイッチ操作部１３と、スイッチ機構８０の取り付けの際、例えば、両面テープを用いて頭部８０ｄの上面に照明ＬＥＤ８０ｅを仮固定しておくとよい。この場合、照明ＬＥＤ８０ｅが、スイッチ操作部１３と頭部８０ｄとに挟みこまれるように組みつけられることによって本固定される。
【００３２】
図８に示すように意匠部１０と、ハウジング２０と、照明機能部３０とが取り付けられると、スイッチ操作部１３を押圧した際、照明ＬＥＤ８０ｅはスイッチ操作部１３の直下、且つスイッチ操作部１３に接した状態を維持したまま移動する。すなわち、押圧操作されても、表示部１３ａと照明ＬＥＤ８０ｅとの距離が一定に維持されることになる。このため、スイッチ機構８０とスイッチ操作部１３とが連結したスイッチ９０は、スイッチとして機能している。
【００３３】
この実施の形態では、スイッチ操作部１３と頭部８０ｄとに挟まれ、スイッチ操作部１３に接した状態の照明ＬＥＤ８０ｅによって発せられた光が、スイッチ操作部１３の操作面Ｓ側に透過するので、スイッチ操作部１３が押圧操作されたとしても、押圧操作の前後でスイッチ操作部１３と照明ＬＥＤ８０ｅとの距離が変わらない。従って、スイッチ操作部１３を透過する光の強さを安定させることができる。
【００３４】
また、この実施の形態では、連結部１３ｅが、照明ＬＥＤ８０ｅをスイッチ操作部１３と頭部８０ｄとで挟み込んでスイッチ操作部１３と頭部８０ｄとを連結しているので、照明ＬＥＤ８０ｅをスイッチ操作部１３と頭部８０ｄとで確実に挟むことができる。
【００３５】
さらに、この実施の形態では、照明ＬＥＤ８０ｅがスイッチ操作部１３の直下、且つスイッチ操作部１３に接した位置に配置されているので、少ない光量で表示部１３ａを発光させることができる。しかも、光漏れを少なく抑えることもできる。
【００３６】
また、この実施の形態では、第２帯状部７０ｄは、スリット７０ｅを設けることによって第１帯状部７０ｃと分岐されているので、第１の帯上部７０ｃと同一のＦＰＣ７０上に照明ＬＥＤ８０ｅを配置することができる。このため、部品点数を少なく抑えることができる。
【００３７】
なお、この実施の形態では、表示部１３ａが操作面Ｓの中央位置に配置されているものを例示したが、これに限らず、照明ＬＥＤ８０ｅによって発せられた光をスイッチ操作部１３の操作面Ｓ側に透過することができればよい。例えば、表示部１３ａが、操作面Ｓの中央位置よりも上側よりに配置されてもかまわない。
【００３８】
また、この実施の形態では、スイッチ操作部１３は、光を透過可能な光拡散材を用いるものを例示したが、これに限らず、照明ＬＥＤ８０ｅによって発せられた光をスイッチ操作部１３の操作面Ｓ側に透過する透過部を有していればよい。
【００３９】
さらに、この実施の形態では、スイッチ操作部１３が有する連結部１３ｅによって、照明ＬＥＤ８０ｅをスイッチ操作部１３と頭部８０ｄとで挟み込んで、スイッチ操作部１３と頭部８０ｄとを連結させるものを例示したが、これに限らず、照明ＬＥＤ８０ｅがスイッチ操作部１３と頭部８０ｄとに挟まれていればよい。例えば、頭部８０ｄ側に鉤部等を設けるようにして、スイッチ操作部１３と頭部８０ｄとで照明ＬＥＤ８０ｅを挟み込んで、スイッチ操作部１３と頭部８０ｄとを連結させるようにしてもよい。
【符号の説明】
【００４０】
１      照明装置
１０    意匠部
１１    ベゼル
１１ａ  レンズ用凹部
１１ｂ  操作収容孔
１１ｃ  照明用孔
１２    レンズ体
１３    スイッチ操作部
１３ａ  表示部
１３ｂ  塗装部
１３ｃ  当接部
１３ｄ  鉤部
１３ｅ  連結部
２０    ハウジング
２０ａ  スイッチ突出孔
２０ｂ  照明用開口部
３０    照明機能部
４０    第１照明部
５０    第２照明部
５０ａ  ＬＥＤ
５０ｂ  レンズ
５０ｃ  放熱板
６０    スイッチ機能部
６０ａ  スイッチハウジング
６０ｂ  スイッチカバー
６０ｃ  バスバー
６０ｄ  スイッチ用開口部
６０ｅ  ＦＰＣ用開口部
７０    ＦＰＣ
７０ａ  スイッチ実装部
７０ｂ  照明実装部
７０ｃ  第１帯状部
７０ｄ  第２帯状部
７０ｅ  スリット
７０ｆ  ＬＥＤ実装部
８０    スイッチ機構
８０ａ  スイッチ本体部
８０ｂ  案内部
８０ｃ  胴部
８０ｄ  頭部
８０ｅ  照明ＬＥＤ
９０    スイッチ
１００  照明ユニット
【図１】
2012015014.tif 000003
【図２】
2012015014.tif 000004
【図３】
2012015014.tif 000005
【図４】
2012015014.tif 000006
【図５】
2012015014.tif 000007
【図６】
2012015014.tif 000008
【図７】
2012015014.tif 000009
【図８】
2012015014.tif 000010